(57)【要約】【課題】中間転写体の表面をクリーニングするクリーニング手段が、当該中間転写体の表面から離間する際に、トナーが漏れて中間転写体に付着し、画質が劣化するのを防止することが可能なクリーニング装置及びこれを用いた画像形成装置を提供することを課題とする。【解決手段】被クリーニング部材に接離可能に構成され、当該クリーニング部材上に残留した転写残トナーを除去するクリーニング手段を、装置本体の開口部近傍に備えたクリーニング装置において、前記クリーニング手段が被クリーニング部材に接触した状態で、当該クリーニング手段と反対側に位置する前記装置本体の開口部を閉塞するフィルムシール部材を備え、前記フィルムシール部材は、少なくとも、正極性に帯電する帯電系列を有するフィルムシールと、負極性に帯電する帯電系列を有するフィルムシールとを有するように構成して課題を解決した。【選択図】図１
2007108494.tif 000002
【特許請求の範囲】
【請求項１】
被クリーニング部材に接離可能に構成され、当該クリーニング部材上に残留した転写残トナーを除去するクリーニング手段を、装置本体の開口部近傍に備えたクリーニング装置において、
前記クリーニング手段が被クリーニング部材に接触した状態で、当該クリーニング手段と反対側に位置する前記装置本体の開口部を閉塞するフィルムシール部材を備え、
前記フィルムシール部材は、少なくとも、正極性に帯電する帯電系列を有するフィルムシールと、負極性に帯電する帯電系列を有するフィルムシールとを有することを特徴とするクリーニング装置。
【請求項２】
前記クリーニング手段は、前記被クリーニング部材上に残留した転写残トナーを掻き取るクリーニングブレードからなることを特徴とする請求項１に記載のクリーニング装置。
【請求項３】
前記フィルムシール部材でシールしたトナーを、吸引する吸引手段を備えたことを特徴とする請求項１又は２に記載のクリーニング装置。
【請求項４】
前記請求項１乃至３のいずれかに１つに記載のクリーニング装置を備えたことを特徴とする画像形成装置。
【発明の詳細な説明】
【技術分野】
【０００１】
この発明は、電子写真方式等を採用した複写機やプリンタ、あるいはファクシミリ等の画像形成装置及びこれに用いるクリーニング装置に関し、特にクリーニング装置によって回収されたトナーがフィルムシールから漏れるのを防止可能としたクリーニング装置及びこれを用いた画像形成装置に関するものである。
【背景技術】
【０００２】
【特許文献１】特開２００４−２６４５５８号公報
【０００３】
従来、この種の電子写真方式等を採用した複写機やプリンタ、あるいはファクシミリ等の画像形成装置としては、単一の感光体ドラムを備え、当該感光体ドラム上にイエロー  （Ｙ）、マゼンタ（Ｍ）、シアン（Ｃ）、黒（Ｋ）等の各色のトナー像を順次形成し、この感光体ドラム上に順次形成されるイエロー（Ｙ）、マゼンタ（Ｍ）、シアン（Ｃ）、黒（Ｋ）等の各色のトナー像を、中間転写ベルト上に互いに重ね合わせた状態で一次転写した後、当該中間転写ベルト上から用紙に一括して二次転写することにより、カラー画像を形成するように構成した、所謂４サイクル方式のものがある。
【０００４】
また、上記画像形成装置としては、イエロー（Ｙ）、マゼンタ（Ｍ）、シアン（Ｃ）、黒（Ｋ）の各色に対応した画像形成ユニットを備え、これらのイエロー（Ｙ）、マゼンタ（Ｍ）、シアン（Ｃ）、黒（Ｋ）の各色の画像形成ユニットで形成されたトナー像を、中間転写ベルト上に互いに重ね合わせた状態で一次転写した後、当該中間転写ベルト上から用紙に一括して二次転写することにより、カラー画像を形成するように構成した、所謂タンデム方式のものがある。
【０００５】
このような画像形成装置においては、中間転写ベルト上に互いに重ね合わせた状態で転写されたイエロー（Ｙ）、マゼンタ（Ｍ）、シアン（Ｃ）、黒（Ｋ）等の各色のトナー像を、用紙上に一括して二次転写した後、当該中間転写ベルト上に残留した転写残トナーを、クリーニング装置によって清掃することによって、転写残トナーが次の画像に転写されてしまうのを防止するように構成されている。
【０００６】
ところで、上記クリーニング装置１００としては、例えば、図７に示すように、中間転写ベルト１０１を駆動するドライブロール１０２の外周に、当該中間転写ベルト１０１側に開口部１０３が設けられたクリーニング装置本体１０４を配設し、このクリーニング装置本体１０４の開口部１０３に、取付用の板金１０５を介して、中間転写ベルト１０１の表面にドクターブレードとして当接するクリーニングブレード１０６を取り付けるように構成されている。また、上記クリーニング装置本体１０４の開口部１０３には、クリーニングブレード１０６と対向する位置に、当該クリーニングブレード１０６によって清掃されたトナーが外部に漏れるのを防止するためのフィルムシール１０７が、フィルムシール取付用の板金１０８に接着された状態で取り付けられている。
【０００７】
さらに、上記クリーニング装置１００は、最終色のトナー像が当該クリーニング装置１０４を通過するまで、中間転写ベルト１０１の表面から離間するように、支点１０９を中心として時計周り方向に回転可能に構成されており、中間転写ベルト１０１表面の清掃が終了した後に、図８に示すように、当該中間転写ベルト１０１の表面から離間するようになっている。
【０００８】
また、上記クリーニング装置１０４で清掃されるトナーとしては、正規の帯電極性のトナー１１０以外に、中間転写ベルト１０１上から用紙にトナー像を一括して二次転写する際に、高い転写電界が印加されるため、当該転写電界の影響を受けて正規の帯電極性と逆極性に帯電した二次転写残トナー１１１も存在する。
【発明の開示】
【発明が解決しようとする課題】
【０００９】
しかしながら、上記従来技術の場合には、次のような問題点を有している。すなわち、上記従来の画像形成装置の場合には、図７に示すように、中間転写ベルト１０１から用紙にトナー像の二次転写が終了した領域に同期して、クリーニング装置１０４が中間転写ベルト１０１に当接してクリーニング動作を開始し、クリーニング動作が終了すると、次の画像の書き出しタイミングに合わせて、図８に示すように、中間転写ベルト１０１の表面から離間するようになっている。
【００１０】
その際、上記クリーニング装置１００では、図７に示すよういに、中間転写ベルト１０１上に残留した転写残トナー１１０、１１１が、クリーニング装置１００のクリーニングブレード１０６のエッジによって中間転写ベルト１０１の表面から除去され、フィルムシール１０７側に向かいながら、クリーニング装置本体１０４の内部に回収される。
【００１１】
ところで、上記従来のクリーニング装置１００で用いられるフィルムシール１０７は、プラスに帯電する帯電系列の樹脂によって形成されているため、中間転写ベルト１０１から離間するときに、図８に示すよういに、マイナス極性のトナー１１０のみが静電的に吸着され、プラス極性に帯電したトナー１１１の一部が、静電的に反発されて、少なくともマイナス側の電位を持つ中間転写ベルト１０１の表面に、プラス極性の浮遊トナー１１１が付着する。この中間転写ベルト１０１の表面に付着したプラス極性のトナー１１１は、次の画像形成工程において、画像上に転写されて、画質を劣化させるという問題点を有していた。
【００１２】
そこで、かかる問題点の解決に関連する技術としては、例えば、特開２００４−２６４５５８号公報等に開示されたものが既に提案されている。
【００１３】
この特開２００４−２６４５５８号公報に係る画像形成装置は、現像剤によって現像された画像を担持する像担持体と、像担持体上に担持された画像が転写され、転写された画像をさらに被転写媒体に転写する中間転写手段と、前記中間転写手段に当接させることにより前記中間転写手段を清掃する清掃部材と、前記清掃部材を駆動して、前記中間転写手段に当接させ、および該中間転写手段から離間させ、前記中間転写手段の清掃を制御する清掃駆動制御手段と、を備え、前記被転写媒体上に画像を形成する画像形成動作を含む画像形成ジョブを実行する画像形成装置において、前記清掃部材が当接または離間した前記中間転写手段の部位が、前記中間転写手段に画像が転写される画像領域内とならないように制御するように構成したものである。
【００１４】
しかしながら、上記特開２００４−２６４５５８号公報に係る画像形成装置の場合には、清掃部材が当接または離間した前記中間転写手段の部位が、前記中間転写手段に画像が転写される画像領域内とならないように制御するように構成したものであり、清掃部材の離間時に、中間転写手段の画像領域にトナーが付着するのを防止することができるものの、上述したように、中間転写手段の非画像領域ではあるが、トナーが付着するのを防止することができない。そのため、上記中間転写手段の非画像領域に付着したトナーが、感光体ドラムの表面や、当該中間転写手段上のトナー像を用紙に二次転写する二次転写ロールの表面に付着し、やはり、画像の汚れや、用紙の裏面汚れを発生させるという問題点を有していた。
【００１５】
そこで、この発明は、上記従来技術の問題点を解決するためになされたものであり、その目的とするところは、中間転写体の表面をクリーニングするクリーニング手段が、当該中間転写体の表面から離間する際に、トナーが漏れて中間転写体に付着し、画質が劣化するのを防止することが可能なクリーニング装置及びこれを用いた画像形成装置を提供することにある。
【課題を解決するための手段】
【００１６】
上記目的を達成するため、請求項１に記載された発明は、被クリーニング部材に接離可能に構成され、当該クリーニング部材上に残留した転写残トナーを除去するクリーニング手段を、装置本体の開口部近傍に備えたクリーニング装置において、
前記クリーニング手段が被クリーニング部材に接触した状態で、当該クリーニング手段と反対側に位置する前記装置本体の開口部を閉塞するフィルムシール部材を備え、
前記フィルムシール部材は、少なくとも、正極性に帯電する帯電系列を有するフィルムシールと、負極性に帯電する帯電系列を有するフィルムシールとを有することを特徴とするクリーニング装置である。
【００１７】
また、請求項２に記載された発明は、前記クリーニング手段が、前記被クリーニング部材上に残留した転写残トナーを掻き取るクリーニングブレードからなることを特徴とする請求項１に記載のクリーニング装置である。
【００１８】
さらに、請求項３に記載された発明は、前記フィルムシール部材でシールしたトナーを、吸引する吸引手段を備えたことを特徴とする請求項１又は２に記載のクリーニング装置である。
【００１９】
又、請求項４に記載された発明は、前記請求項１乃至３のいずれかに１つに記載のクリーニング装置を備えたことを特徴とする画像形成装置である。
【発明の効果】
【００２０】
この発明によれば、中間転写体の表面をクリーニングするクリーニング手段が、当該中間転写体の表面から離間する際に、トナーが漏れて中間転写体に付着し、画質が劣化するのを防止することが可能なクリーニング装置及びこれを用いた画像形成装置を提供することができる。
【発明を実施するための最良の形態】
【００２１】
以下に、この発明の実施の形態について図面を参照して説明する。
【００２２】
実施の形態１
図２はこの発明の実施の形態１に係るクリーニング装置を適用した画像形成装置としての４サイクル方式のフルカラープリンタを示すものである。
【００２３】
図２において、１はフルカラープリンタの本体を示すものであり、このフルカラープリンタ本体１の内部には、中央よりもやや上部に、像担持体としての感光体ドラム２が回動可能に配設されている。この感光体ドラム２としては、例えば、表面に感光体層が被覆された導電性円筒体からなるものが用いられ、図示しない駆動手段により、矢印方向に沿って所定のプロセススピードで回転駆動される。
【００２４】
上記感光体ドラム２としては、種々のものを使用することが可能であるが、例えば、感光体層の塗膜の耐久性を向上させ、長寿命化や高耐久性化を達成した感光体を使用するのが望ましい。上記感光体ドラム２の感光体層としては、例えば、高硬度化材料が選択され、この高硬度化材料の代表例は、Ｓｅ、Ｓｅ合金、酸化亜鉛、硫化カドミウム、ａ−Ｓｉ等の無機材料を用いた感光体や、有機材料を用いた有機感光体層上に表面保護層と称されるオーバーコート層を付加した種々の感光体などである。また、上記表面保護層は、例えば、硬化性樹脂及び導電性粒子を含有したものが用いられ、硬化性樹脂としては、アクリル樹脂やフェノール樹脂等が挙げられる。さらに、上記表面保護層としては、シロキサン化合物、フッ素原子含有化合物の一方又は双方を含有したものが挙げられる。さらに、上記感光体ドラム２の感光体層は、例えば、２０〜３０μｍ程度の厚さに形成されたものが用いられる。
【００２５】
このフルカラープリンタは、例えば、プロセススピードが約１５０ｍｍ／ｓｅｃと、同様の機種においては、比較的高く設定されており、生産性の高いものとなっている。なお、上記フルカラープリンタのプロセススピードは、例えば、白黒モードの場合には、１５０ｍｍ／ｓｅｃよりも速く設定しても勿論良い。
【００２６】
上記感光体ドラム２の表面は、当該感光体ドラム２の斜め下方に配置された帯電手段としての帯電ロール３によって所定の電位に帯電された後、これ又感光体ドラム２直下の離れた位置に配置された画像露光手段としてのＲＯＳ４（Ｒａｓｔｅｒ  Ｏｕｔｐｕｔ  Ｓｃａｎｎｅｒ）によって、レーザービーム（ＬＢ）による画像露光が施され、画像情報に応じた静電潜像が形成される。その際、上記感光体ドラム２の表面には、帯電ロール３等による放電作用によって、オゾンや窒素酸化物等の放電生成物が付着する。上記感光体ドラム２上に形成された静電潜像は、イエロー（Ｙ）、マゼンタ（Ｍ）、シアン（Ｃ）、黒（Ｋ）の各色の現像器５Ｙ、５Ｍ、５Ｃ、５Ｋを周方向に沿って配置した回転式の現像装置５によって現像され、所定の色のトナー像となる。
【００２７】
上記回転式の現像装置５は、図２に示すように、イエロー（Ｙ）、マゼンタ（Ｍ）、シアン（Ｃ）、黒（Ｋ）の４つの現像器５Ｙ、５Ｍ、５Ｃ、５Ｋが、回転軸を中心にして回転する回転フレームの周方向に沿って互いに９０度の角度を成すように装着されている。また、上記イエロー（Ｙ）、マゼンタ（Ｍ）、シアン（Ｃ）、黒（Ｋ）の４つの現像器５Ｙ、５Ｍ、５Ｃ、５Ｋは、前記回転フレームの回転位置を、当該回転フレームに設けられたスリットの位置によって検出して制御することにより、各現像器５Ｙ、５Ｍ、５Ｃ、５Ｋの開口部に設けられた現像ロールを、感光体ドラム２と対向する現像位置に停止させ、感光体ドラム２上に形成された静電潜像を所望の色のトナーによって現像するように構成されている。
【００２８】
さらに、上記イエロー（Ｙ）、マゼンタ（Ｍ）、シアン（Ｃ）、黒（Ｋ）の各現像器５Ｙ、５Ｍ、５Ｃ、５Ｋには、当該各現像器５Ｙ、５Ｍ、５Ｃ、５Ｋに隣接するように、トナーカートリッジが装着されており、当該トナーカートリッジから対応する現像器５Ｙ、５Ｍ、５Ｃ、５Ｋにトナーを所定のタイミングで供給することによって、各現像器５Ｙ、５Ｍ、５Ｃ、５Ｋ内のトナー濃度を調整することが可能となっている。
【００２９】
上記感光体ドラム２の表面には、形成する画像の色に応じて、帯電・露光・現像の各工程が、所定回数だけ繰り返される。上記回転式の現像装置５は、対応する色の現像器５Ｙ、５Ｍ、５Ｃ、５Ｋの現像ロールが、感光体ドラム２と対向する現像位置に移動する。例えば、フルカラーの画像を形成する場合、感光体ドラム２の表面には、帯電・露光・現像の各工程が、イエロー（Ｙ）、マゼンタ（Ｍ）、シアン（Ｃ）、黒（Ｋ）の各色に対応して４回繰り返され、当該感光体ドラム２の表面には、イエロー（Ｙ）、マゼンタ（Ｍ）、シアン（Ｃ）、黒（Ｋ）の各色に対応したトナー像が順次形成される。
【００３０】
上記感光体ドラム２上に順次形成されたイエロー（Ｙ）、マゼンタ（Ｍ）、シアン（Ｃ）、黒（Ｋ）の各色のトナー像は、感光体ドラム２の外周に中間転写体としての中間転写ベルト６が巻き付けられた一次転写位置において、当該中間転写ベルト６上に互いに重ね合わされた状態で、一次転写ロール７によって一次転写される。この中間転写ベルト６上に多重に転写されたイエロー（Ｙ）、マゼンタ（Ｍ）、シアン（Ｃ）、黒（Ｋ）のトナー像は、二次転写ロール８によって、所定のタイミングで給紙される記録媒体としての記録用紙９上に二次転写位置Ａにおいて一括して二次転写される。記録用紙９は、フルカラープリンタ本体１の下部に配置された給紙カセット１０から、フィードロール１１によって送り出されるとともに、当該フィードロール１１及びリタードロール１２によって１枚ずつ捌かれた状態で給紙され、用紙搬送路１３を介して、レジストロール１４によって中間転写ベルト６上に転写されたトナー像と同期した状態で、中間転写ベルト６の二次転写位置Ａへと搬送される。なお、上記中間転写ベルト６から記録用紙９上にトナー像を二次転写する際に、当該中間転写ベルト６上には、現像剤としてのトナーや、トナーの外添剤等が付着して残留する。
【００３１】
上記中間転写ベルト６は、図１及び図２に示すように、複数のロールによって張架されているとともに、感光体ドラム２の一次転写位置において当接されており、所定のプロセススピード（約１５０ｍｍ／ｓｅｃ）で回転駆動するように構成されている。中間転写ベルト６は、例えば、ポリイミド樹脂等の合成樹脂によって無端ベルト状に形成されている。この中間転写ベルト６は、ドライブロール１５と、感光体ドラム２上に形成されたトナー像を中間転写ベルト６上に転写する一次転写ロール７と、センサーロール１６と、テンションロール１７と、二次転写ロール８に中間転写ベルト６を介して当接するバックアップロール１８とによって、所定の張力で張架されている。
【００３２】
また、上記中間転写ベルト６は、上記の如く、複数のロール７、１５〜１８によって張架されているが、この実施の形態では、フルカラープリンタ本体１の小型化を図るため、中間転写ベルト６が張架される断面形状が、偏平な細長い略台形状となるように構成されている。
【００３３】
また、上記中間転写ベルト６のセンサーロール１６と対向する位置には、中間転写ベルト６上に形成された濃度検出用パターンとしてトナーのテストパッチの濃度を検出する反射型フォトセンサからなる濃度検出手段としての自動濃度検出（ＡＤＣ）センサ２３が配設されている。
【００３４】
さらに、上記中間転写ベルト６からトナー像が転写された記録用紙９は、図２に示すように、定着器２７へと搬送され、この定着器２７の加熱ローラ２８及び加圧ベルト（又は加圧ローラ）２９によって熱及び圧力でトナー像が記録用紙９上に定着され、排出ロール３０によって排出口３１からプリンタ本体１の上部に設けられた排出トレイ３２上にそのまま排出される。
【００３５】
なお、トナー像の転写工程が終了した後の感光体ドラム２の表面は、当該感光体ドラム２が１回転する毎に、感光体ドラム２の斜め下方に配置されたクリーニング装置３３のクリーニングブレード３４によって、残留トナーなどが除去され、次の画像形成工程に備えるようになっている。
なお、図２中、符号３７は用紙搬送シュートを示している。
【００３６】
ところで、この実施の形態では、被クリーニング部材に接離可能に構成され、当該クリーニング部材上に残留した転写残トナーを除去するクリーニング手段を、装置本体の開口部近傍に備えたクリーニング装置において、前記クリーニング手段が被クリーニング部材に接触した状態で、当該クリーニング手段と反対側に位置する前記装置本体の開口部を閉塞するフィルムシール部材を備え、前記フィルムシール部材は、少なくとも、正極性に帯電する帯電系列を有するフィルムシールと、負極性に帯電する帯電系列を有するフィルムシールとを有するように構成されている。
【００３７】
また、この実施の形態では、前記クリーニング手段が、前記被クリーニング部材上に残留した転写残トナーを掻き取るクリーニングブレードからなるように構成されている。
【００３８】
すなわち、この実施の形態では、図２及び図３に示すように、被クリーニング部材としての中間転写ベルト６の表面をクリーニイグするクリーニング装置４０を備えている。このクリーニング装置４０は、図１に示すように、中間転写ベルト６を回転駆動するドライブロール１９の外周に対応した位置に配設されており、当該クリーニング装置４０は、支点４１を中心にして、図示しない偏芯カム等からなるリトラクト機構によって、中間転写ベルト６の表面に接触又は離間するように構成されている。
【００３９】
上記クリーニング装置４０の本体４２は、図１に示すように、金属や合成樹脂等によって、断面略台形の箱体状に形成されており、中間転写ベルト６の略全幅にわたって配設されている。上記クリーニング装置本体４２には、中間転写ベルト６側の角部に大きく開口した開口部４３が設けられており、当該開口部４３の中間転写ベルト６の移動方向に沿った下流側には、クリーニング装置本体４２に取付用の板金４４を介して、クリーニング手段としてのクリーニングブレード４５が取り付けられている。上記クリーニングブレード４５は、ウレタン等の合成樹脂によって、所定の厚さ及び長さ、更には食い込み量に設定されており、当該クリーニングブレード４５は、取付用の板金４４に接着等の手段によって固着されている。また、上記クリーニングブレード４５は、そのフリーレングス（自由長）が比較的短く設定されており、中間転写ベルト６を所定のタイミングで逆転することによって、当該クリーニングブレード４５の先端エッジ部に挟まった異物等を除去する際に、折れ曲がって座屈等が発生するのを防止するようになっている。
【００４０】
さらに、上記クリーニングブレード４５は、中間転写ベルト６の移動方向に対して逆方向、つまり下流側から当接するように配設されており、所謂ドクターブレードとして機能するように構成されている。
【００４１】
また、上記クリーニング装置本体４２には、図１に示すように、その開口部４３のクリーニングブレード４５と対向する側（中間転写ベルト６の移動方向に沿った上流側）に、当該クリーニング装置本体４２の開口部４３からトナーが漏れるのを防止するように、フィルムシール部材４６が配設されている。このフィルムシール部材４６は、正極性に帯電する帯電系列を有する第１のフィルムシール４７と、負極性に帯電する帯電系列を有する第２のフィルムシール４８とから構成されている。
【００４２】
上記第１のフィルムシール４７は、例えば、ポリエチレンテレフタレート（ＰＥＴ）によって、所定の厚さを有するシート状に形成されており、他の部材と摺擦して摩擦帯電する際に、正極性に帯電する帯電系列を有している。この第１のフィルムシール４７は、取付用の板金４９に接着等の手段によって固着されている。なお、上記取付用の板金４９は、クリーニング装置本体４２にネジ止め等の手段で取り付けられている。
【００４３】
一方、上記第２のフィルムシール４８は、例えば、ポリウレタンによって、所定の厚さを有するシート状に形成されており、他の部材と摺擦して摩擦帯電する際に、負極性に帯電する帯電系列を有している。この第２のフィルムシール４８は、その先端部が、第１のフィルムシール４７の先端部よりも突出するようにずらした状態で、その基端部が、第１のフィルムシール４７の表面に接着等の手段によって固着されている。なお、上記第１のフィルムシール４７及び第２のフィルムシール４８の取付方法としては、接着等の手段に限らず、ネジ止め等の他の手段によって取り付けても良いことは勿論である。
【００４４】
また、上記第１のフィルムシール４７及び第２のフィルムシール４８は、第１のフィルムシール４７が裏面側、第２のフィルムシール４８が表面側の配置に限らず、逆に配置しても勿論良い。
【００４５】
ただし、上記第１のフィルムシール４７及び第２のフィルムシール４８は、図１に示すように、いずれの表面もが、クリーニング装置本体４２の内部に露出していることが必要であり、又、これら第１のフィルムシール４７及び第２のフィルムシール４８は、積層された場合でも、フィルムシール本来としての可撓性を有するように配設する必要がある。
【００４６】
なお、上記第１のフィルムシール４７及び第２のフィルムシール４８の材料は、上述したものに限定されるものではなく、正極性に帯電する帯電系列を有するフィルムシールと、負極性に帯電する帯電系列を有するフィルムシールとを有するように構成すれば良い。また、上記第１のフィルムシール４７及び第２のフィルムシール４８の枚数も、それぞれ１枚に限定されるものではなく、必要に応じて２枚以上設けても良い。
【００４７】
また、上記実施の形態では、図３に示すように、クリーニング装置４０で回収したトナーを、オーガー等を備えた搬送手段３５によって、回収容器３６へと搬送し、回収する。
【００４８】
以上の構成において、この実施の形態に係るクリーニング装置を適用したフルカラープリンタでは、次のようにして、中間転写体の表面をクリーニングするクリーニング手段が、当該中間転写体の表面から離間する際に、トナーが漏れて中間転写体に付着し、画質が劣化するのを防止することが可能となっている。
【００４９】
すなわち、上記フルカラープリンタでは、図２及び図３に示すように、感光体ドラム２上にイエロー（Ｙ）、マゼンタ（Ｍ）、シアン（Ｃ）、黒（Ｋ）の各色のトナー像を順次形成し、当該感光体ドラム２上に順次形成されたイエロー（Ｙ）、マゼンタ（Ｍ）、シアン（Ｃ）、黒（Ｋ）の各色のトナー像を、中間転写ベルト６上に多重に一次転写し、更に当該中間転写ベルト６上から用紙９に一括して二次転写して、定着することによって、フルカラーの画像を形成するように構成されている。
【００５０】
ところで、上記フルカラープリンタでは、図１に示すように、中間転写ベルト６の表面をクリーニングするクリーニング装置４０が、当該中間転写ベルト６上に多重に一次転写されたトナー像の最終色が通過するまで、中間転写ベルト６の表面から離間した状態となっている。そして、上記中間転写ベルト６上に多重に一次転写された最終色のトナー像の後端が通過した後、支点４１を中心にして、反時計周り方向に回動し、図２に示すように、中間転写ベルト６の表面に当接するようになっている。
【００５１】
そして、上記クリーニング装置４０は、図４に示すように、中間転写ベルト６の表面に残留した転写残トナーを、クリーニングブレード４５によって掻き取ることで除去し、中間転写ベルト６の表面をクリーニングする。その際、上記クリーニングブレード４５によって掻き取られた転写残トナーは、クリーニング装置本体４２の内部に収容される。
【００５２】
また、上記クリーニング装置４０で清掃されるトナーとしては、正規の帯電極性（負極性）のトナー５１以外に、中間転写ベルト６上から用紙９にトナー像を一括して二次転写する際に、高い転写電界が印加されるため、当該転写電界の影響を受けて正規の帯電極性と逆極性（正極性）に帯電した二次転写残トナー５２も存在する。
【００５３】
次に、上記クリーニング装置４０は、中間転写ベルト６表面を全周にわたってクリーニングするクリーニング処理が終了すると、次の画像形成工程に備えるため、支点４１を中心にして、時計周り方向に回動し、図５に示すように、中間転写ベルト６の表面から離間するようになっている。
【００５４】
その際、上記クリーニング装置４０では、図５に示すように、クリーニングブレード４５によって掻き取られた転写残トナーとして、正規の帯電極性（負極性）のトナー５１と、正規の帯電極性と逆極性（正極性）に帯電した二次転写残トナー５２とが存在する。これらの負極性のトナー５１と、正極性のトナー５２のうち、クリーニング装置４０が中間転写ベルト６の表面から離間する直前に、クリーニングブレード４５によって掻き取られたトナーは、クリーニング装置本体４２の内部に完全に収容されるずに、浮遊状態となっているものがある。
【００５５】
これらのクリーニング装置４０が中間転写ベルト６の表面から離間する際に、浮遊状態となっているトナーや、離間動作の衝撃によって浮遊状態となったトナーは、図  に示すように、クリーニング装置本体４２の開口部４３に配設されたフィルムシール部材４６のうち、正極性に帯電する帯電系列を有する第１のフィルムシール４７か、又は負極性に帯電する帯電系列を有する第２のフィルムシール４８に静電的に吸着されて除去されるため、クリーニング装置４０の離間動作時に、開口部４３から外部に漏れて中間転写ベルト６の表面に付着するのを確実に防止することができる。
【００５６】
そのため、この実施の形態に係るクリーニング装置４０によれば、中間転写ベルト６の表面をクリーニングするクリーニング装置４０が、当該中間転写ベルト６の表面から離間する際に、負極性のトナー５１や、正極性のトナー５２が漏れて中間転写ベルト６に付着し、画質が劣化するのを防止することが可能となっている。
【００５７】
実施の形態２
図６はこの発明の実施の形態２を示すものであり、前記実施の形態２と同一の部分には同一の符号を付して説明すると、この実施の形態２では、フィルムシール部材でシールしたトナーを、吸引する吸引手段を備えるように構成されている。
【００５８】
すなわち、この実施の形態２に係るクリーニング装置４０は、図６に示すように、フィルムシール部材４６を取り付ける取付用の板金４９と、クリーニング装置本体４２との間に、吸引用の通路６０がスリット状に設けられており、当該吸引用通路６０の基端部には、吸引手段としての吸引用のファン６１が、吸引ホース６２を介して連結されている。
【００５９】
そして、上記クリーニング装置４０では、図６に示すように、当該クリーニング装置４０が中間転写ベルト６の表面から離間するタイミングに同期させて、吸引用のファン６１を駆動させ、フィルムシール部材４６の基端部に設けられた吸引用通路６０からエアーを吸引することによって、浮遊している負極性のトナー５１や、正極性のトナー５２を吸引して除去することができ、これらの負極性のトナー５１や正極性のトナー５２が、中間転写ベルト６に付着し、画質が劣化するのをより一層確実に防止することが可能となっている。
【００６０】
なお、上記吸引用のファン６１で吸引されたトナーは、図示しないフィルターによって除去される。また、上記吸引用のファン６１としては、プリンタ内に設けられる冷却用のファンなどを兼用するように構成しても勿論良い。
【００６１】
その他の構成及び作用は、前記実施の形態１と同様であるので、その説明を省略する。
【図面の簡単な説明】
【００６２】
【図１】図１はこの発明の実施の形態１に係るクリーニング装置を適用した画像形成装置としてのカラー複合機の要部を示す構成図である。
【図２】図２はこの発明の実施の形態１に係るクリーニング装置を適用した画像形成装置としてのカラー複合機を示す全体構成図である。
【図３】図３はこの発明の実施の形態１に係るクリーニング装置を適用した画像形成装置としてのカラー複合機の画像形成部を示す構成図である。
【図４】図４はこの発明の実施の形態１に係るクリーニング装置を適用した画像形成装置の作用を示す構成図である。
【図５】図５はこの発明の実施の形態１に係るクリーニング装置を適用した画像形成装置の作用を示す構成図である。
【図６】図６はこの発明の実施の形態２に係るクリーニング装置を適用した画像形成装置の作用を示す構成図である。
【図７】図７は従来のクリーニング装置の作用を示す説明図である。
【図８】図８は従来のクリーニング装置の作用を示す説明図である。
【符号の説明】
【００６３】
６：中間転写ベルト（被クリーニング部材）、４０：クリーニング装置、４５：クリーニングブレード、４７：第１のフィルムシール、４８：第２のフィルムシール。
【図１】
2007108494.tif 000003
【図２】
2007108494.tif 000004
【図３】
2007108494.tif 000005
【図４】
2007108494.tif 000006
【図５】
2007108494.tif 000007
【図６】
2007108494.tif 000008
【図７】
2007108494.tif 000009
【図８】
2007108494.tif 000010